(57)【特許請求の範囲】
【請求項１】
表示画面を有する表示手段と、
画像データを受信したとき当該画像データのうち最初の有効データ部の位置を決定する位置決定手段と、
前記画像データを前記最初の有効データ部から前記表示画面に表示するように前記表示手段を制御する制御手段と、
を備え、
前記制御手段は、前記位置決定手段により決定された前記最初の有効データ部の位置を左上端位置とし、且つ、前記表示画面に表示される表示データの大きさを有する矩形領域の左右方向の長さが、前記最初の有効データ部の位置から前記画像データの右端までの長さより長い場合、前記画像データにおいて、前記最初の有効データ部の上下方向における位置を上端とし、且つ、前記画像データの右端から前記矩形領域の左右方向の長さだけ左方向に離間した位置を左端とする前記表示データを、前記表示画面に表示させるように、前記表示手段を制御することを特徴とする画像表示装置。
【請求項２】
表示画面を有する表示手段と、
画像データを受信したとき当該画像データのうち最初の有効データ部の位置を決定する位置決定手段と、
前記画像データを前記最初の有効データ部から前記表示画面に表示するように前記表示手段を制御する制御手段と、
を備え、
前記制御手段は、前記位置決定手段により決定された前記最初の有効データ部の位置を左上端位置とし、且つ、前記表示画面に表示される表示データの大きさを有する矩形領域の上下方向の長さが、前記最初の有効データ部の位置から前記画像データの下端までの長さより長い場合、前記画像データにおいて、前記最初の有効データ部の左右方向における位置を左端とし、且つ、前記画像データの下端から前記矩形領域の上下方向の長さだけ上方向に離間した位置を上端とする前記表示データを、前記表示画面に表示させるように、前記表示手段を制御することを特徴とする画像表示装置。
【請求項３】
前記画像データのうち有効データの領域が前記表示画面の表示領域を超えるとき、前記有効データの領域を前記表示画面に合わせるように縮小して前記表示手段に表示させる縮小制御手段を備えることを特徴とする請求項１または２に記載の画像表示装置。
【発明の詳細な説明】
【技術分野】
【０００１】
本発明は、画像表示装置に関する。
【背景技術】
【０００２】
従来、この種の画像表示装置においては、例えば、下記特許文献１に記載のＦＡＸ機能付き端末装置が提案されている。このＦＡＸ機能付き端末装置では、受信したファクシミリデータが、その先頭から所定量分、送信元情報として表示部に表示されるようになっている。
【特許文献１】特開平５−３２７９６２号公報
【発明の開示】
【発明が解決しようとする課題】
【０００３】
しかしながら、上記ＦＡＸ機能付き端末装置においては、上述のように、受信したファクシミリデータのうち先頭から所定量分のデータを表示部に表示するようになっているため、先頭からの所定量分のデータが空データである場合には、何も表示されない真っ白の表示になってしまう。
【０００４】
このため、上記ファクシミリデータを受信したにもかかわらず、受信し損なったと勘違いしてしまうという不具合が生ずる。
【０００５】
そこで、本発明は、データを受信したにもかかわらず、受信し損なったと勘違いすることを確実に防止した画像表示装置を提供することを目的とする。
【課題を解決するための手段】
【０００６】
上記課題の解決にあたり、本発明に係る画像表示装置は、請求項１の記載によれば、
表示画面を有する表示手段と、画像データを受信したとき当該画像データのうち最初の有効データ部の位置を決定する位置決定手段と、上記画像データを上記最初の有効データ部から上記表示画面に表示するように表示手段を制御する制御手段とを備え、制御手段は、位置決定手段により決定された上記最初の有効データ部の位置を左上端位置とし、且つ、上記表示画面に表示される表示データの大きさを有する矩形領域の左右方向の長さが、上記最初の有効データ部の位置から上記画像データの右端までの長さより長い場合、上記画像データにおいて、上記最初の有効データ部の上下方向における位置を上端とし、且つ、上記画像データの右端から当該矩形領域の左右方向の長さだけ左方向に離間した位置を左端とする上記表示データを、上記表示画面に表示させるように、表示手段を制御することを特徴とする。
また、本発明に係る画像表示装置は、請求項２の記載によれば、
表示画面を有する表示手段と、画像データを受信したとき当該画像データのうち最初の有効データ部の位置を決定する位置決定手段と、上記画像データを上記最初の有効データ部から上記表示画面に表示するように表示手段を制御する制御手段と、を備え、制御手段は、位置決定手段により決定された上記最初の有効データ部の位置を左上端位置とし、且つ、上記表示画面に表示される表示データの大きさを有する矩形領域の上下方向の長さが、上記最初の有効データ部の位置から上記画像データの下端までの長さより長い場合、上記画像データにおいて、上記最初の有効データ部の左右方向における位置を左端とし、且つ、上記画像データの下端から当該矩形領域の上下方向の長さだけ上方向に離間した位置を上端とする上記表示データを、上記表示画面に表示させるように、表示手段を制御することを特徴とする。
【０００７】
このように、画像データを受信したとき当該画像データのうち最初の有効データ部の位置を決定し、このように決定した最初の有効データ部から画像データを表示画面に表示するので、受信した画像データの先頭データ部が空データであっても、その後の最初の有効データ部から表示画面に表示される。このため、受信した画像データが空データではないことがタイミングよく認識され得る。その結果、画像データを受信したにもかかわらず、受信し損なったと勘違いしてしまうことがない。また、上記矩形領域の左右方向の長さが、上記最初の有効データ部の位置から画像データの右端までの長さより長い場合は、当該最初の有効データ部の上下方向における位置を上端とし、且つ、当該画像データの右端から上記矩形領域の左右方向の長さだけ左方向に離間した位置を左端とする表示データを、表示画面に表示させるため、画像データを表示画面に有効に表示できるようになる。また、上記矩形領域の上下方向の長さが、上記最初の有効データ部の位置から画像データの下端までの長さより長い場合は、当該最初の有効データ部の左右方向における位置を左端とし、且つ、当該画像データの下端から上記矩形領域の上下方向の長さだけ上方向に離間した位置を上端とする表示データを、表示画面に表示させるため、画像データを表示画面に有効に表示できるようになる。
【０００８】
【０００９】
【００１０】
また、本発明は、請求項３の記載によれば、請求項１または２に記載の画像表示装置において、上記画像データのうち有効データの領域が上記表示画面の表示領域を超えるとき、上記有効データの領域を上記表示画面に合わせるように縮小して表示手段に表示させる縮小制御手段を備えることを特徴とする。
【００１１】
これにより、上記画像データのうち有効データの領域が上記表示画面の表示領域を超えても、上記有効データの領域が上記表示画面に合うように縮小されて表示されるので、上記画像データのうち上記有効データの領域に対応する画像部分が確実に表示され、受信し損なったと勘違いしてしまうことを更に防止することができる。
【００１２】
【発明を実施するための最良の形態】
【００１３】
以下、本発明の一実施形態を図面により説明する。図１は、本発明の一実施形態であるファクシミリ装置の平面図である。
【００１４】
当該ファクシミリ装置は、その装置全体がハウジングＨによって覆われ、ハウジングＨの上部前方には操作パネル１０を備えている。また、ハウジングＨの上部であって操作パネル１０の後方には、当該ファクシミリ装置から送信すべき画像を読み取る読取り部４０と、その読取り部４０に読取り原稿を搬送するためのトレイＴとを備える。
【００１５】
操作パネル１０は、その中央に表示部３０を備え、その両側には、多数の押しボタン式操作スイッチ１１を備える。
【００１６】
表示部３０は、表示画面３１に表示するための受信データ（後述する画像Ｇを含むデータ）を格納するＶＲＡＭ（図示しない）と、ＶＲＡＭに格納された受信データを表示画面３１に表示させる駆動回路（図示しない）と、表示画面３１を備えた液晶パネル３０ａ（表示手段）とを備えており、上記ＶＲＡＭに格納された受信データは、上記駆動回路によって液晶パネル３０ａの表示画面３１に表示される。
【００１７】
一方、ファクシミリ装置は、ハウジングＨ内部にファクシミリ装置全体の制御を司る制御部２０を備えている。図２は、ファクシミリ装置の回路ブロック図である。図２において、制御部２０は、ファクシミリ装置を制御するプログラムを格納したＲＯＭ２３と、ＲＯＭ２３に格納されたプログラムによりファクシミリ装置を制御するＣＰＵ２２と、種々のデータを格納するＲＡＭ２４と、受信データを入力するためのインターフェース（以下、Ｉ／Ｆと記す）２１と、表示部３０に信号を送信するためのＩ／Ｆ２５とを備え、ＲＯＭ２３、ＣＰＵ２２、ＲＡＭ２４、Ｉ／Ｆ２１及びＩ／Ｆ２５は、相互にバス２６によって電気的に接続されている。
【００１８】
ここで、ファクシミリ装置の動作について説明する。ファクシミリ装置は、外部にデータを送信するために読取り原稿に記録された画像を読み取る読取り機能、外部から受信したデータを記録する記録機能及び外部から受信したデータを表示部３０の表示画面３１に表示するための表示機能等の機能を備えている。
【００１９】
上記読取り機能を動作させる場合においては、先ず、操作者が読取り原稿をトレイＴの下側から図中左方向に挿入した後、押しボタン式操作スイッチ１１を操作して読取り機能を選択すると、ファクシミリ装置は、読取り部４０を使用して読取り原稿を搬送しながら読取り原稿の読み取りを開始する。読取り部４０が原稿の読み取りを終えると、原稿は、トレイＴの上側から図中右方向へ排出される。
【００２０】
一方、上記記録機能が動作する場合においては、先ず、ファクシミリ装置が受信データをＩ／Ｆ２１を介してＲＡＭ２４に格納し、ＲＡＭ２４に格納された受信データをハウジングＨ内に配置された記録部（図示しない）によって用紙上に記録し、記録された用紙を操作パネル１０の下側に形成された排紙口（図示しない）から前方向へ排出する。
【００２１】
上記記録機能が動作するタイミングは、データがファクシミリ装置に受信された時に自動的に動作するようにしてもよいが、本発明の画像表示装置のような表示機能によって表示された画像を確認した後に、操作者による押しボタン操作スイッチ１１の操作によって上記記録機能を動作させるようにすると後述するように種々の利点がある。
【００２２】
以下、図３及び図４のフローチャートを参照しながら、本実施形態の処理について説明するとともに、これらの利点について説明する。
【００２３】
ここで、当該受信データは、図５に示すような画像Ｇを表す画像データであるものとする。本実施形態では、画像Ｇは、液晶パネル３０ａの表示画面３１の右側中間画面部位（図５参照）に対応するように、ＲＡＭ２４の記憶領域に記憶されている。
【００２４】
上記プログラムの実行の開始に伴い、ステップ１００において、表示データのサイズが液晶パネル３０ａの表示画面３１のサイズより大きいか否かが判定される。ここで、上記受信データで表される画像Ｇが液晶パネル３０ａの表示画面３１よりも小さい場合には、ステップ１００における判定はＮＯとなる。
【００２５】
然る後、上記プログラムは、表示開始位置設定処理ルーチン１１０に進む。すると、ステップ１１１において、表示開始位置変数の初期化処理がなされる。この初期化処理では、表示開始位置変数Ｘが、初期位置Ｘｏ＝ＦＦＦＦＦＦＦＦＨとして初期化され、表示開始位置変数Ｙが、初期位置Ｙｏ＝ＦＦＦＦＦＦＦＦＨとして初期化される。なお、液晶パネル３０ａの表示画面３１を直交座標面としたとき、両表示開始位置変数Ｘ、Ｙは、上記直交座標面上のＸ座標及びＹ座標を表す。
【００２６】
このようにして初期化処理がなされた後は、ステップ１１２からステップ１１６に至る処理が繰り返される。このような状態において、上記プログラムがステップ１１２に達したとき、上記受信データの１ライン分がＲＡＭ２４から読み出される。ついで、ステップ１１３において、黒ドット（有効データ部）が上記受信データの１ライン分に有るか否かが判定される。
【００２７】
現段階において、黒ドットが上記受信データの１ライン分になければ、ステップ１１３における判定はＮＯとなる。然る後、ステップ１１６において、ステップ１１２における上記受信データの１ライン分は、最終ライン分か否かが判定される。
【００２８】
ここで、上記１ライン分は、上記受信データの最終ライン分でなければ、ステップ１１６にてＮＯと判定される。これに伴い、ステップ１１２において、上記受信データの次の１ライン分がＲＡＭ２４から読み出される。
【００２９】
現段階にて、黒ドットが上記受信データの次の１ライン分に有れば、ステップ１１３においてＹＥＳと判定され、次のステップ１１３ａにおいて、左端黒ドット位置決定処理がなされる。ここでは、上記受信データの次の１ライン分の左端の黒ドットの位置が、例えば、Ａと決定される。
【００３０】
ついで、ステップ１１４において、上述したＡで特定される黒ドットは、今までで最も左端に位置するか否かが判定される。例えば、現段階において、Ｘ＝Ｘｏ＝ＦＦＦＦＦＦＦＦＨが維持されていれば、Ｘ＝Ｘｏ＞Ａか否かが判定される。ここで、Ｘ＝Ｘｏ＞Ａが成立すれば、ステップ１１４における判定がＹＥＳとなる。
【００３１】
このようにＸ＝Ｘｏ＞Ａが成立するということは、ステップ１１２で読み出し済みの上記受信データの次の１ライン分の左端の黒ドットが、Ｘｏ＝ＦＦＦＦＦＦＦＦＨよりも左側に位置することを意味する。
【００３２】
このため、次のステップ１１４ａにおいて、新たに、Ｘ＝Ａと設定される。これにより、表示開始位置変数Ｘが、Ｘｏではなく、上述した受信データの次の１ライン分の左端の黒ドットの位置に合わせられる。
【００３３】
ステップ１１４ａの処理後、ステップ１１５において、上述したＸ＝Ａで特定される黒ドットは、今までで最も上端に位置するか否かが判定される。例えば、現段階において、Ｙ＝Ｙｏ＝ＦＦＦＦＦＦＦＦＨが維持されていれば、Ｙ＝Ｙｏ＞Ｂか否かが判定される。ここで、Ｙ＝Ｙｏ＞Ｂが成立すれば、ステップ１１５における判定がＹＥＳとなる。
【００３４】
このようにＹｏ＞Ｂが成立するということは、ステップ１１２で読み出し済みの上記受信データの次の１ライン分の左端の黒ドットが、Ｙｏ＝ＦＦＦＦＦＦＦＦＨよりも上側に位置することを意味する。
【００３５】
このため、次のステップ１１５ａにおいて、新たに、Ｙ＝Ｂと設定される。これにより、表示開始位置変数Ｙが、Ｙｏではなく、ステップ１１２で読み出し済みの上記受信データの次の１ライン分の位置に合わせられる。
【００３６】
このようにステップ１１５ａの処理が終了すると、ステップ１１６にて、最終ライン分か否かが判定される。ここで、ステップ１１２で読み出し済みの上記受信データの次の１ライン分が最終ライン分でなければ、ステップ１１６における判定がＮＯとなる。
【００３７】
以下、上述と同様にステップ１１２〜ステップ１１６に亘る処理が繰り返されている間に、ステップ１１６においてＹＥＳと判定されると、次のステップ１１７において、黒ドット無しか否かが判定される。
【００３８】
ここで、上記プログラムの処理において、ステップ１１３におけるＮＯとの判定が繰り返されてステップ１１６にてＹＥＳと判定されたときには、黒ドット無しということで、ステップ１１７における判定はＹＥＳとなる。このため、次のステップ１１７ａにおいて、Ｘ＝０、Ｙ＝０と設定される。
【００３９】
一方、上記プログラムの処理において、ステップ１１３におけるＹＥＳとの判定を含めてステップ１１６にてＹＥＳと判定されたときには、黒ドット有りということで、ステップ１１７における判定はＮＯとなる。
【００４０】
このようにして、ステップ１１７ａの処理又はステップ１１７におけるＮＯとの判定がなされると、ステップ１１８において、表示開始位置が決定される。
【００４１】
ここで、上述したＸ＝Ａ及びＹ＝Ｂが、それぞれ、画像Ｇの最も左端の位置及び最も上端の位置と特定しておれば、上記直交座標面上において、Ｘ＝Ａを通る横方向の線とＹ＝Ｂを通る縦方向の線との交点が、上記受信データにおいて左上端位置と設定される。なお、当該交点は、（Ｘ、Ｙ）＝（Ｘｓ、Ｙｓ）でもって表すものとする。
【００４２】
例えば、図５の画像Ｇにおいて、Ｘ＝Ａは画像Ｇの最左端下部Ｇ１の位置を表し、Ｙ＝Ｂが、画像Ｇの頂部Ｇ２の位置を表すものとすれば、Ｘ＝Ａを通る横方向の線とＹ＝Ｂを通る縦方向の線との交点Ｆ１が、（Ｘ、Ｙ）＝（Ｘｓ、Ｙｓ）でもって、上記受信データの左上端位置を特定する。なお、交点Ｆ１は、図５に示すごとく、画像Ｇを囲う四角領域Ｆの左上隅角の点に相当する。
【００４３】
なお、ステップ１１２〜ステップ１１６における処理において、読み出された黒ドットが最も左側に位置しない場合には、ステップ１１４における判定がＮＯとなり、それまでに左端に位置するＸ値がそのまま維持され、また、読み出された黒ドットが最も上端に位置しない場合には、ステップ１１５における判定がＮＯとなり、それまでに上端に位置するＹ値がそのまま維持される。
【００４４】
また、本実施形態において、表示開始位置設定処理ルーチン１１０の処理は、位置決定手段に対応し、当該処理において設定されるＸ＝Ａ、Ｙ＝Ｂ、Ｘ＝Ｘｓ、Ｙ＝Ｙｓは、最初の有効データ部の位置に対応する。
【００４５】
このように表示開始位置設定処理ルーチン１１０の処理が終了すると、次のステップ１２０において、表示データのサイズとしてどのサイズを選択するかが判定される。ここで、表示データのサイズは、横×縦＝１７２８ドット×２０００ラインを基準とする。なお、横１７２８ドットは、左から右にむけて、１ライン上の１ドット〜１７２８ドットとすることで構成される。また、縦２０００ラインは、上端から下端に向けて１ライン〜２０００ラインとすることで構成される。
【００４６】
表示データのサイズとして横×縦＝４３２ドット×２５０ラインのサイズを選択する場合には、上記プログラムがステップ１２０からステップ１３０に進む。
【００４７】
しかして、当該ステップ１３０では、Ｘ＞１７２８−４３２が成立するか否かが判定される。詳細には、Ｘ＝Ｘｓであることから、Ｘ＝Ｘｓ＞１７２８−４３２の成立の有無が判定される。
【００４８】
ここで、Ｘ＝Ｘｓ＞１７２８−４３２が成立すれば、Ｘ＝Ｘｓは、１ライン上で右から４３２ドット目よりも右に位置することから、ステップ１２０における判定はＹＥＳとなる。これに伴い、ステップ１３１において、Ｘ＝１７２８−４３２と設定される。
【００４９】
すなわち、後述する四角領域ＦにおけるＦ１点のＸ座標が１７２８−４３２＝１２９６の位置へ移動する。このような処理を施さない場合には、表示すべき画像が表示データの右端近傍にある場合にも、液晶パネル３０ａの表示画面３１の左側に画像が表示され、表示画面３１の右側に表示データのない領域が表示されることとなる。しかしながら、上記処理を施した場合には、表示画面３１の右端近傍も画像が表示され、表示データを有効に表示できる効果を奏する。
【００５０】
一方、Ｘ＝Ｘｓ＞１７２８−４３２が成立しなければ、Ｘ＝Ｘｓは、１ライン上で右から４３２ドット目よりも左に位置することから、ステップ１２０においてＮＯと判定される。このため、Ｘは、ステップ１１８で設定したまま、Ｘ＝Ｘｓに維持される。
【００５１】
次に、ステップ１４０において、Ｙ＞全ライン数−２５０が成立するか否かが判定される。詳細には、Ｙ＝Ｙｓであることから、Ｙ＝Ｙｓ＞全ライン数−２５０が成立するか否かが判定される。なお、全ライン数は、上記受信データの全ライン数２０００に相当する。
【００５２】
ここで、Ｙ＝Ｙｓ＞全ライン数−２５０が成立すれば、Ｙ＝Ｙｓは、上記受信データの全ラインのうち下から２５０ライン目よりも下にあることから、ステップ１３０における判定はＹＥＳとなる。これに伴い、ステップ１４１において、Ｙ＝全ライン数−２５０と設定される。
【００５３】
すなわち、後述する四角領域ＦにおけるＦ１点のＹ座標が２０００−２５０＝１７５０の位置へ移動する。このような処理を施さない場合には、表示すべき画像が表示データの下端近傍にある場合にも、液晶パネル３０ａの表示画面３１の上側に画像が表示され、表示画面３１の下側に表示データのない領域が表示されることとなる。しかしながら、上記処理を施した場合には、表示画面３１の下端近傍にも画像が表示され、表示データを有効に表示できる効果を奏する。
【００５４】
一方、Ｙ＝Ｙｓ＞全ライン数−２５０が成立しなければ、Ｙ＝Ｙｓは、上記受信データの全ラインのうち下から２５０ライン目よりも上に位置することから、ステップ１４０においてＮＯと判定される。このため、Ｙは、ステップ１１８で設定したまま、Ｙ＝Ｙｓに維持される。
【００５５】
ここでは、上述のようなステップ１３０〜ステップ１４１の処理の結果、四角領域ＦにおけるＦ１点のＸ座標及びＹ座標は、図６に示すように、Ｘ＝１２９６及びＹ＝１７５０に最終的に設定されるものとする。
【００５６】
然る後、ステップ１４２において、表示データ形成処理がなされる。ここでは、ステップ１３０〜ステップ１４１の処理で上述のように最終的に設定されたＸ、Ｙを左上端位置として、上記受信データのうち、横×縦＝４３２ドット×２５０ラインに相当するデータ部位（図５にて四角領域Ｆ参照）が、液晶パネル３０ａの表示画面３１に合わせるような表示データとして形成される。
【００５７】
すると、次のステップ１９０における表示データの表示処理において、上記表示データが表示画面３１に出力される。これに伴い、表示部３０が、制御部２０のＩ／Ｆ２５からの上記表示データに基づき、液晶パネル３０ａの表示画面３１に合うように、図１に示すごとく、図５の四角領域Ｆ内に画像を４倍の大きさで表示する。
【００５８】
ここで、上記表示データが、ステップ１３０〜ステップ１４１の処理で上述のように設定されたＸ、Ｙを左上端位置として液晶パネル３０ａの表示画面３１に表示されるので、受信した画像データが空データではないことがタイミングよく認識され得る。その結果、画像データを受信したにもかかわらず、受信し損なったと勘違いしてしまうことがない。
【００５９】
次に、上記プログラムが上述のようにステップ１２０に進んだとき、表示データのサイズとして、横×縦＝８６４ドット×５００ラインのサイズを選択する場合には、当該プログラムがステップ１２０からステップ１６０に進む。
【００６０】
しかして、当該ステップ１６０では、Ｘ＞１７２８−８６４が成立するか否かが判定される。詳細には、Ｘ＝Ｘｓであることから、Ｘ＝Ｘｓ＞１７２８−８６４の成立の有無が判定される。
【００６１】
ここで、Ｘ＝Ｘｓ＞１７２８−８６４が成立すれば、Ｘ＝Ｘｓは、１ライン上で右から８６４ドット目よりも右に位置することから、ステップ１６０における判定はＹＥＳとなる。これに伴い、ステップ１６１において、Ｘ＝１７２８−８６４と設定される。
【００６２】
すなわち、後述する四角領域ＦにおけるＦ１点のＸ座標が上記と同様に１７２８−８６４＝８６４の位置へ移動する。このような処理を施さない場合には、表示すべき画像が表示データの右端近傍にある場合にも、液晶パネル３０ａの表示画面３１の左側に画像が表示され、表示画面３１の右側に表示データのない領域が表示されることとなる。しかしながら、上記処理を施した場合には、表示画面３１の右端近傍にも画像が表示され、表示データを有効に表示できる効果を奏する。
【００６３】
一方、Ｘ＝Ｘｓ＞１７２８−８６４が成立しなければ、Ｘ＝Ｘｓは、１ライン上で右から８６４ドット目よりも左に位置することから、ステップ１６０においてＮＯと判定される。このため、Ｘは、ステップ１１８で設定したまま、Ｘ＝Ｘｓに維持される。
【００６４】
次に、ステップ１７０において、Ｙ＞全ライン数−５００が成立するか否かが判定される。詳細には、Ｙ＝Ｙｓであることから、Ｙ＝Ｙｓ＞全ライン数−５００が成立するか否かが判定される。
【００６５】
ここで、Ｙ＝Ｙｓ＞全ライン数−５００が成立すれば、Ｙ＝Ｙｓは、上記受信データの全ラインのうち下から５００ライン目よりも下にあることから、ステップ１７０における判定はＹＥＳとなる。これに伴い、ステップ１７１において、Ｙ＝全ライン数−５００と設定される。
【００６６】
すなわち、後述する四角領域ＦにおけるＦ１点のＹ座標が１５００の位置へ移動する。このような処理を施さない場合には、表示すべき画像が表示データの下端近傍にある場合にも、液晶パネル３０ａの表示画面３１の上側に画像が表示され、表示画面３１の下側に表示データのない領域が表示されることとなる。しかしながら、上記処理を施した場合には、表示画面３１の下端近傍にも画像が表示され、表示データを有効に表示できる効果を奏する。
【００６７】
一方、Ｙ＝Ｙｓ＞全ライン数−５００が成立しなければ、Ｙ＝Ｙｓは、上記受信データの全ラインのうち下から５００ライン目よりも上に位置することから、ステップ１７０においてＮＯと判定される。このため、Ｙは、ステップ１１８で設定したまま、Ｙ＝Ｙｓに維持される。
【００６８】
ここでは、上述のようなステップ１６０〜ステップ１７１の処理の結果、四角領域ＦにおけるＦ１点のＸ座標及びＹ座標は、図７に示すように、Ｘ＝８６４及びＹ＝１５００に最終的に設定されるものとする。
【００６９】
然る後、ステップ１７２において、表示データ形成処理がなされる。ここでは、ステップ１６０〜ステップ１７１の処理で上述のように最終的に設定されたＸ、Ｙを左上端位置として、上記受信データのうち、横×縦＝８６４ドット×５００ラインに相当するデータ部位が、液晶パネル３０ａの表示画面３１に合わせるような表示データとして形成される。
【００７０】
すると、次のステップ１９０における表示データの表示処理において、上記表示データが表示画面３１に出力される。これに伴い、表示部３０が、制御部２０のＩ／Ｆ２５からの上記表示データに基づき、液晶パネル３０ａの表示画面３１に合うように、図５の四角領域Ｆ内に画像を２倍の大きさで表示する。
【００７１】
ここで、上記表示データが、ステップ１６０〜ステップ１７１の処理で上述のように設定されたＸ、Ｙを左上端位置として液晶パネル３０ａの表示画面３１に表示される。従って、上述と同様に、受信した画像データが空データではないことがタイミングよく認識され、その結果、画像データを受信したにもかかわらず、受信し損なったと勘違いしてしまうことがない。
【００７２】
次に、上記プログラムが上述のようにステップ１２０に進んだとき、表示データとして、横×縦＝１７２８ドット×１０００ラインのサイズを選択する場合には、上記プログラムはステップ１２０からステップ１７８に進む。
【００７３】
しかして、当該ステップ１７８では、Ｘ＝０と設定される。すなわち、後述する四角領域ＦにおけるＦ１点のＸ座標が０の位置へ移動する。このような処理を施さない場合には、表示すべき画像が表示データの右端近傍にある場合にも、液晶パネル３０ａの表示画面３１の左側に画像が表示され、表示画面３１の右側に表示データのない領域が表示されることとなる。しかしながら、上記処理を施した場合には、表示画面３１の右端近傍にも画像が表示され、表示データを有効に表示できる効果を奏する。
一方、ステップ１８０では、Ｙ＞全ライン数−１０００が成立するか否かが判定される。詳細には、Ｙ＝Ｙｓであることから、Ｙ＝Ｙｓ＞全ライン数−１０００が成立するか否かが判定される。
【００７４】
ここで、Ｙ＝Ｙｓ＞全ライン数−１０００が成立すれば、Ｙ＝Ｙｓは、上記受信データの全ラインのうち下から１０００ライン目よりも下にあることから、ステップ１８０における判定はＹＥＳとなる。これに伴い、ステップ１８１において、Ｙ＝全ライン数−１０００と設定される。
【００７５】
すなわち、後述する四角領域ＦにおけるＦ１点のＹ座標が１０００の位置へ移動する。このような処理を施さない場合には、表示すべき画像が表示データの下端近傍にある場合にも、液晶パネル３０ａの表示画面３１の上側に画像が表示され、表示画面３１の下側に表示データのない領域が表示されることとなる。しかしながら、上記処理を施した場合には、表示画面３１の下端近傍にも画像が表示され、表示データを有効に表示できる効果を奏する。
【００７６】
一方、Ｙ＝Ｙｓ＞全ライン数−１０００が成立しなければ、Ｙ＝Ｙｓは、上記受信データの全ラインのうち下から１０００ライン目よりも上に位置することから、ステップ１８０においてＮＯと判定される。このため、Ｙは、ステップ１１８で設定したまま、Ｙ＝Ｙｓに維持される。
【００７７】
ここでは、上述のようなステップ１８０及びステップ１８１の処理の結果、四角領域ＦにおけるＦ１点のＸ座標及びＹ座標は、図８に示すように、Ｘ＝０及びＹ＝１０００に最終的に設定されるものとする。
【００７８】
然る後、ステップ１８２において、表示データ形成処理がなされる。ここでは、ステップ１８０及びステップ１８１の処理で上述のように設定されたＸ、Ｙを左上端位置として、上記受信データのうち、横×縦＝１７２８ドット×１０００ラインに相当するデータ部位が、液晶パネル３０ａの表示画面３１に合わせるような表示データとして形成される。
【００７９】
すると、次のステップ１９０における表示データの表示処理において、上記表示データが表示画面３１に出力される。これに伴い、表示部３０が、制御部２０のＩ／Ｆ２５からの上記表示データに基づき、液晶パネル３０ａの表示画面３１に合うように、図５の四角領域Ｆ内に画像を等倍で表示する。なお、本実施形態において、各ステップ１４２、１７２、１８２、１９０の処理は、制御手段に対応する。
【００８０】
ここで、上記表示データが、ステップ１８０及びステップ１８１の処理で上述のように設定されたＸ、Ｙを左上端位置として液晶パネル３０ａの表示画面３１に表示される。従って、上述と同様に、受信した画像データが空データではないことがタイミングよく認識され、その結果、画像データを受信したにもかかわらず、受信し損なったと勘違いしてしまうことがない。
【００８１】
以上説明したように、画像Ｇを表す画像データが、ステップ１２０における表示データのサイズの選択に応じて、左上端位置から表示画面３１に表示される。従って、画像Ｇが、好みに応じた画像の大きさでもって、空データと誤信することなく、タイミングよく視認され得る。特に、当該ファクシミリ装置が、見るだけ受信機能を有するファクシミリ装置である場合には、上述のように、画像Ｇを表す画像データを確実に視認し得るため、見るだけ受信機能の有効利用に役立つ。
【００８２】
なお、押しボタン式操作スイッチ１１の操作でもって、ステップ１２０における表示データのサイズを好みに応じて選択できるようにしておけば、便利である。
【００８３】
また、上述のようにプログラムがステップ１００に進んだとき、当該ステップ１００において、ＹＥＳと判定された場合には、表示データが、図５の画像Ｇを表す画像データとは異なり、液晶パネル３０ａの表示画面３１よりも大きい他の画像を表すことになる。
【００８４】
このため、ステップ２００の表示データの表示処理において、上記表示データが液晶パネル３０ａの表示画面３１に収まるように自動的に縮小される。然る後、ステップ１９０において、ステップ２００における縮小表示データが出力される。なお、本実施形態において、ステップ２００の処理は、縮小制御手段に対応する。
【００８５】
これに伴い、表示部３０が、制御部２０からの上記縮小表示データに基づき、液晶パネル３０ａの表示画面３１に収まる画像となるように、上記他の画像を縮小して表示する。従って、上記他の画像のうち表示したい画像部位が確実に視認され得る。
【００８６】
なお、本発明の実施にあたり、上記実施形態に限ることなく、次のような種々の変形例が挙げられる。（１）上記実施形態では、四角領域ＦにおけるＦ１点の位置を表示部３０の表示画面３１の左上端位置に設定したが、この位置に限られるものではなく、表示画面３１の右上端位置、左下端位置又は右下端位置であってもよい。（２）ステップ１２０において選択する表示データのサイズは、上記実施形態にて述べたサイズに限ることなく、必要に応じて適宜変更してもよい。（３）本発明は、ファクシミリ装置に限ることなく、例えば、液晶パネルを有する複写機に適用してもよい。なお、液晶パネルに代えて、ＥＬパネル等のパネル状表示素子を採用してもよい。
【図面の簡単な説明】
【００８７】
【図１】本発明の一実施形態であるファクシミリ装置の平面図である。
【図２】上記実施形態における回路ブロック図である。
【図３】図２のＣＰＵの作用を示すフローチャートである。
【図４】図３の表示開始位置設定処理ルーチンを示す詳細フローチャートである。
【図５】上記実施形態において表示画面上の画像の位置関係を例示する模式的例示図である。
【図６】ステップ１３０〜ステップ１４１の処理の結果を説明する説明図である。
【図７】ステップ１６０〜ステップ１７１の処理の結果を説明する説明図である。
【図８】ステップ１７８〜ステップ１８１の処理の結果を説明する説明図である。
【符号の説明】
【００８８】
２０…制御部、３０…表示部、３０ａ…液晶パネル、３１…表示画面。
【図１】
0005439703.tif 000002
【図２】
0005439703.tif 000003
【図３】
0005439703.tif 000004
【図４】
0005439703.tif 000005
【図５】
0005439703.tif 000006
【図６】
0005439703.tif 000007
【図７】
0005439703.tif 000008
【図８】
0005439703.tif 000009